(57)【要約】【課題】  情報処理端末間の設定において、接続される情報処理端末が自端末の環境状況からネットワーク設定やアプリケーション設定等の適切な初期設定値を作成し、情報処理端末の設定値を更新変更し、アプリケーションのインストール等を管理する。【解決手段】  外部記憶装置２５に、情報処理端末１６，１７とディスプレイステーション１１とが通信するための設定情報と、情報処理端末１６，１７内で実行されるアプリケーションとを記憶しておき、ＣＰＵ２１が、ディスプレイステーション１１が起動又は電源投入した場合に、設定情報とアプリケーションを認識デバイス収納装置１２を介して記憶デバイス１３に格納する。【選択図】  図１
2006164092.tif 000002
【特許請求の範囲】
【請求項１】
処理装置と表示装置と記憶装置と、情報処理端末と通信するための通信装置と、前記情報処理端末と接続可能な記憶デバイスと接続するための接続装置とを備えた表示システムにおいて、
前記記憶装置は、前記情報処理端末と当該表示システムとが通信するための設定情報と、前記情報処理端末内で実行されるアプリケーションとを記憶可能で、
前記処理装置は、当該表示システムが起動又は電源投入した場合に、前記設定情報と前記アプリケーションを前記接続装置を介して前記記憶デバイスに格納することを特徴とする表示システム。
【請求項２】
前記アプリケーションは、当該表示システムと前記情報処理端末とを連携するための機能を有することを特徴とする請求項１に記載の表示システム。
【請求項３】
前記処理装置は、当該表示システムが起動又は電源投入した場合に又は定期的にネットワークを介して前記設定情報及び前記アプリケーションを取得し、取得された前記設定情報及び前記アプリケーションによって、前記記憶装置内の前記設定情報及び前記アプリケーションを更新することを特徴とする請求項１又は２に記載の表示システム。
【請求項４】
前記接続装置は、複数の前記記憶デバイスと接続可能で、
前記記憶装置は、前記記憶デバイスごとに、前記接続装置から前記記憶デバイスへのアクセス日情報と、前記接続装置と前記記憶デバイスとの現在の接続状態情報と、前記通信装置と前記情報処理端末との現在の通信状態情報を記憶することを特徴とする請求項１〜３の何れかに記載の表示システム。
【請求項５】
前記処理装置は、前記アクセス日情報と前記接続状態情報と前記通信状態情報の組み合わせに応じたメッセージを、ユーザに通知することを特徴とする請求項１〜４の何れかに記載の表示システム。
【請求項６】
前記情報処理端末は、前記記憶デバイスと接続した場合に、前記記憶デバイスから前記記憶デバイスの識別情報及び前記設定情報を読み出し、前記設定情報を用いて前記記憶デバイスの識別情報と前記情報処理端末の識別情報を前記表示システムへ送信すると共に前記通信装置との通信を確立し、前記記憶デバイスから前記アプリケーションを読み出し、前記アプリケーションを起動し、
前記通信装置は、前記記憶デバイスの識別情報及び前記情報処理端末の識別情報を前記情報端末装置から受信し、
前記処理装置は、前記情報処理端末の識別情報を前記記憶装置内の前記記憶デバイスの識別情報に対する前記通信状態情報として格納することを特徴とする請求項１〜５の何れかに記載の表示システム。
【請求項７】
ディスプレイステーションが記憶デバイスを介して前記ディスプレイステーションとの通信情報を情報処理端末に設定する通信情報設定方法において、
前記ディスプレイステーションの記憶装置が、前記情報処理端末が前記ディスプレイステーションと通信するための設定情報と、前記情報処理端末内で実行されるアプリケーションとを記憶しておき、
前記ディスプレイステーションの処理装置が、前記ディスプレイステーションが起動又は電源投入した場合に、前記設定情報と前記アプリケーションを前記記憶デバイスに格納することを特徴とする通信情報設定方法。
【請求項８】
前記アプリケーションは、前記ディスプレイステーションと前記情報処理端末とを連携するための機能を有することを特徴とする請求項７に記載の通信情報設定方法。
【請求項９】
前記処理装置が、前記ディスプレイステーションが起動又は電源投入した場合に又は定期的にネットワークを介して前記設定情報及び前記アプリケーションを取得し、取得された前記設定情報及び前記アプリケーションによって、前記記憶装置内の前記設定情報及び前記アプリケーションを更新することを特徴とする請求項７又は８に記載の通信情報設定方法。
【請求項１０】
前記記憶装置が、前記記憶デバイスごとに、前記ディスプレイステーションから前記記憶デバイスへのアクセス日情報と、前記ディスプレイステーションと前記記憶デバイスとの現在の接続状態情報と、前記ディスプレイステーションと前記情報処理端末との現在の通信状態情報を記憶することを特徴とする請求項７〜９の何れかに記載の通信情報設定方法。
【請求項１１】
前記処理装置が、前記アクセス日情報と前記接続状態情報と前記通信状態情報の組み合わせに応じたメッセージを、ユーザに通知することを特徴とする請求項７〜１０の何れかに記載の通信情報設定方法。
【請求項１２】
前記情報処理端末は、前記記憶デバイスと接続した場合に、前記記憶デバイスから前記記憶デバイスの識別情報及び前記設定情報を読み出し、前記設定情報を用いて前記記憶デバイスの識別情報と前記情報処理端末の識別情報を前記ディスプレイステーションへ送信すると共に前記ディスプレイステーションとの通信を確立し、前記記憶デバイスから前記アプリケーションを読み出し、前記アプリケーションを起動し、
前記ディスプレイステーションの通信装置が、前記記憶デバイスの識別情報及び前記情報処理端末の識別情報を前記情報端末装置から受信し、
前記処理装置が、前記情報処理端末の識別情報を前記記憶装置内の前記記憶デバイスの識別情報に対する前記通信状態情報として格納することを特徴とする請求項７〜１１の何れかに記載の通信情報設定方法。
【発明の詳細な説明】
【技術分野】
【０００１】
本発明は、情報処理端末間の接続・設定において、ディスプレイステーションが自機に接続される情報処理端末の設定を自動的に更新変更するシステム及び方法に関する。
【背景技術】
【０００２】
端末間の接続設定する方法として、ユーザが直接入力する方法が一般に利用されてきた。例えば、ネットワークのIPアドレス設定や、端末名の設定などは、管理者がそれらのデータを管理し、他の端末と重ならないように設定値を決定しユーザに知らせ、ユーザがキーボード等から入力している。また、最近ではIPアドレス等をルータ等の機器が自動的に割り振ることで管理できるようになっており、特定の設定器を用いてIPアドレスを管理する方法もある（例えば、特許文献１参照）。
【０００３】
また、着脱可能な不揮発性メモリを保持する保持部と、保持部に保持された不揮発性メモリから、不揮発性メモリの認証情報と、コンピュータネットワークに対する設定情報とを読み出す読出部と、読出部により読み出された認証情報が、予め定められた条件を満たすか否かを認証する認証部と、認証情報が予め定められた条件を満たした場合に、読出部により読み出された設定情報に基づいて、コンピュータネットワークの通信設定を行うべく、コンピュータネットワークにおいて通信を行う通信機器に設定情報を送信する送信部とを備える中継機器が知られている（例えば、特許文献２参照）。
【０００４】
また、クライアントがクライアント環境情報からクライアント利用者の情報及び環境情報を更新する必要のあるソフトウェア名およびクライアントにインストールされておらずサインアップ後に必要となるソフトウェア名からなるクライアント情報を取得し、取得したクライアント情報を付加しサーバへ自動サインアップの要求を行い、サーバからソフトウェア環境情報及びクライアントソフトウェアのインストールイメージを受信すると受信したインストールイメージのクライアント環境へのインストールおよびソフトウェア環境情報によるクライアント環境情報への環境情報設定を行うことも知られている（例えば、特許文献３参照）。
【０００５】
【特許文献１】特開２００３−１９８５９７号公報
【特許文献２】特開２００３−６９５９４号公報
【特許文献３】特開２００２−１３２６０３号公報
【発明の開示】
【発明が解決しようとする課題】
【０００６】
しかし、上記特許文献１や２の技術では、通信設定後に接続が完了してもそれは端末間の通信が可能になっただけであり、実際に利用したいのはアプリケーションである。このアプリケーションも初期設定や利用環境による設定が必要になる。特定の環境下であれば設定値も決めておくことが可能であるので、この設定値を利用すればユーザの手間を省くことはできるが、複雑な環境においては設定を変更しなければ動作しないことが多い。特にOSやアプリケーションが高機能になり、新規に機器を環境に加える場合等、必要なアプリケーション設定情報や項目が増大しており、設定を間違えると思わぬ動作をすることが多くなっている。
【０００７】
一方、上記特許文献３の技術では、クライアントがソフトウェアを利用するための環境をサーバからクライアントへ設定し、サインアップ時に必要なソフトウェアをクライアントにインストールいるだけで、ソフトウェアが古くて必要な機能を利用できないということまでは配慮されていない。
【０００８】
本発明の目的は、情報処理端末間の設定において、接続される情報処理端末が自端末の環境状況からネットワーク設定やアプリケーション設定等の適切な初期設定値を作成し、情報処理端末の設定値を更新変更し、アプリケーションのインストール等を管理するシステム及び方法を提供することである。
【課題を解決するための手段】
【０００９】
本発明は、ディスプレイステーションの記憶装置が、情報処理端末がディスプレイステーションと通信するための設定情報と、情報処理端末内で実行されるアプリケーションとを記憶しておき、ディスプレイステーションが起動又は電源投入した場合に、ディスプレイステーションの処理装置が、設定情報とアプリケーションを記憶デバイス（例えば、認識デバイス）に格納する。
【発明の効果】
【００１０】
本発明によれば、ディスプレイステーションが接続する情報処理端末の設定値を含む記憶デバイスを管理することで、情報処理端末へのアプリケーションのインストールや記憶デバイスの設定が容易になり、簡単な接続による機器間の連携動作環境が構築できる。
【００１１】
また、本発明によれば、ディスプレイステーション内のアプリケーションが更新されても情報処理端末とディスプレイステーションとの連携が可能になり、情報処理端末からディスプレイステーションが利用できないという不具合を解消できる。
【発明を実施するための最良の形態】
【００１２】
本発明のシステムは、ディスプレイステーション等のサーバ機能を兼ね備えた機器とそれに接続するための端末から構成されており、ディスプレイステーションは起動時、終了時、接続時等に設定値やアプリケーションを格納した認識デバイスの内容を管理する機能と、この認識デバイスを介在して接続端末の各種設定、変更、更新を行う機能を持つ。
【００１３】
以下、本発明の実施例１及び２を説明する。
【実施例１】
【００１４】
図１は本発明の一構成例を示している。システムは共同で閲覧するためのサーバ機能（クライアントへデータを送信する機能）を持ったディスプレイステーション１１と、ユーザが情報をインタラクティブに操作するための１又は複数の情報処理端末１６、１７からなる。ディスプレイステーション１１は、認識デバイス収納装置１２を含む。認識デバイス１３は認識デバイス収納装置１２に、接触又は非接触にて接続可能である。本実施例では、認識デバイス収納装置１２はディスプレイステーション１１に結合しているようになっているが、ケーブルで接続する等ディスプレイステーションとは独立した装置でもよい。認識デバイス１３は未使用時には認識デバイス収納装置１２に全て接続するのが好ましく、利用時に認識デバイス収納装置１２から取り外し端末に挿入する。認識デバイス１３の形体としては、例えば、メモリ機能だけのデバイスでも、メモリ機能と無線ＬＡＮ機能をあわせ持った複合デバイスでもよい。複合デバイスの場合、メモリ部に設定情報、ドライバ情報、アプリケーション情報等を格納し、それらの情報を無線ＬＡＮの設定に利用することで通信接続を可能にする。アクセスポイント１４はディスプレイステーション１１と情報処理端末１６、１７とをネットワーク接続するもので、ディスプレイステーション１１に外付けで接続又は内蔵される。また、ディスプレイステーション１１は外部ネットワーク１５に無線又は有線で接続可能である。外部ネットワーク１５上には、サーバなどが存在する。情報処理端末１６、１７は、無線ＬＡＮデバイスを外付けで接続又は内蔵している。尚、無線ＬＡＮデバイスを外付けで情報処理端末１６、１７に接続する場合は、認識デバイス１３に複合デバイスを用い認識デバイス１３を情報処理端末に挿入することで無線ＬＡＮ機能を追加し、アクセスポイント１４に接続することができる。情報処理端末１６、１７の設定は、認識デバイス１３に内蔵された設定値で追加更新される。
【００１５】
ユーザは、認識デバイス１３を情報処理端末１６、１７に挿入することにより、情報処理端末１６、１７をディスプレイステーション１１に接続するため及び情報処理端末１６、１７からディスプレイステーション１１を利用するための初期設定を行い、初期設定後に情報処理端末１６、１７をディスプレイステーション１１に無線にて接続し、情報処理端末１６、１７からディスプレイステーション１１を利用する。
【００１６】
図２はディスプレイステーションの内部構成を示している。ディスプレイステーション１１はＣＰＵ２１（処理装置）、メモリ２２（記憶装置）、バス制御部２３（制御装置）、表示制御部２４（制御装置）、外部記憶装置２５（記憶装置）、Ｉ／Ｏ制御部２６（制御装置）、通信機器部２７（通信装置）からなる。さらに、ディスプレイステーション１１は、表示装置を備える。バス制御部２３はシステムを制御する部分であり、いくつかの部品からか構成されることがある。通信機器部２７は無線、有線などシステムに合わせたものでよい。Ｉ／Ｏ制御装置２６には認識デバイス収納装置１２に合わせた接続インターフェースとして、例えばＵＳＢインターフェース、シリアル／パラレルインターフェースを備える。表示制御部２４は、表示装置を制御し、表示装置へ制御信号や表示データを送信する。また、認識デバイス収納装置１２を多段接続するために、ＨＵＢ２８（接続装置）を接続することもできる。
【００１７】
図３は情報処理端末の内部構成を示している。情報処理端末１６はＣＰＵ３１（処理装置）、メモリ３２（記憶装置）、バス制御部３３（制御装置）、表示制御部３４（制御装置）、外部記憶装置３５（記憶装置）、Ｉ／Ｏ制御部３６（制御装置）、通信機器部３７（通信装置）からなる。さらに、情報処理端末１６．１７は、表示装置、ユーザからの指示を受け付ける入力装置を備える。バス制御部３３はシステムを制御する部分であり、いくつかの部品からか構成されることがある。通信機器部３７は無線、有線などシステムに合わせたものでよい。Ｉ／Ｏ制御装置３６には認識デバイス１３を接続するためのインターフェースを備える。表示制御部３４は、表示装置を制御し、表示装置へ制御信号や表示データを送信する。
【００１８】
尚、認識デバイス１３は、不揮発性メモリ（記憶装置）と、外部からの指示により不揮発性メモリを制御（データの書き込み、読み出し、消去など）するコントローラ（処理装置）と、外部とのデータをやりとりするインターフェースを備える。
【００１９】
図４はディスプレイステーション内の本システムに使用する部分のメモリ構成を示している。メモリ上には、認識デバイス１３の状態を格納するデバイス用メモリ４１と使用している情報処理端末１６、１７の情報を格納する端末用メモリ４２とアプリケーション本体及び情報を格納するアプリケーション用メモリ４３から構成される。また、デバイス用メモリ４１内には、認識デバイス１３の番号を示すデバイス番号メモリ４４と、認識デバイス１３の設定が更新された日時（アクセス日時）を格納する更新日メモリ４５と、認識デバイス１３の状態を示すデバイス状態メモリ４６とがある。アプリケーション用メモリ４３内には、アプリケーションの設定値を管理するアプリ設定メモリ４７と、アプリケーションの本体プログラムを格納するアプリメモリ４８とがある。また、アプリメモリ４８以外のメモリ領域は個々の認証デバイスに対応するためデバイス対応メモリ４９に分割されている。デバイス番号メモリ４４は、最低限接続される認識デバイス１３の個数がある。更新日メモリ４５は、ディスプレイステーションが認識デバイス１３にアクセスし、認識デバイス１３が正常であると確認した最新のアクセス日を格納する。デバイス状態メモリ４６は、認識デバイス１３が認識デバイス収納装置に存在するか、つまりデバイスが接続されているかどうかを示している。端末用メモリ４２、更新日メモリ４５、デバイス状態メモリ４６から認識デバイス１３の状態が分かる。例えば、更新日がxx/xxは現在時刻に近い状態を示し、vv/vvは現在時刻とかけ離れている状態を示すとする。番号１の認識デバイス１３は更新されて所定時間（１日、１週間など）がたっておらず、デバイス状態メモリ４６から認識デバイス１３が存在することになるので、認識デバイス１３は利用可能な準備完了状態であると判定できる。同様に、番号２の認識デバイス１３は更新されて所定時間がたっておらず、認識デバイス１３がなく、情報処理端末１６、１７としてＡの登録があるので、現在、情報処理端末Ａで利用中であると判定できる。番号３の認識デバイス１３は更新されてから所定時間がたっており、認識デバイス１３がなく、情報処理端末１６、１７の登録もないので、紛失している可能性が高いと判定できる。この場合、更新時間から所定時間がたっていなければ情報処理端末１６、１７への設定中である可能性が高い。番号４の認識デバイス１３は更新されてから所定時間がたっているが認識デバイス１３が存在するので、認識デバイス１３が壊れている可能性が高いと判定できる。ディスプレイステーション１１は、各デバイス状態４６に応じたメッセージを表示装置に表示するのが好ましい。アプリ設定メモリ４７は、ネットワークの設定値やアプリケーションの設定値を格納しておく。
【００２０】
図５は情報処理端末内の本システムに使用する部分のメモリ構成を示している。メモリ上には、設定情報として、認識デバイス１３のデバイス番号５１と認識デバイス１３の更新日５２とディスプレイステーション１１との接続に使用するＩＰアドレス５３と設定情報５４がある。認識デバイス１３のデバイス番号５１と認識デバイス１３の更新日５２は、必須ではない。また、インストールされるプログラムとしては、認識デバイス１３を動作させるためのドライバ５５とアプリケーション本体５６が格納される。
【００２１】
図６はディスプレイステーションにおけるデバイス設定手順を示している。処理６１においてユーザからの指示に応じてディスプレイステーション１１の電源を投入する。処理６２において初回起動かどうかを判定する。初回起動であれば処理６３においてアクセスポイントの設定及び処理６４において認識デバイス数の設定を行う。これら設定は一回のみ行うこととし、以後はディスプレイステーション１１がこの設定を元に定期的に又は変更を検知した場合に更新を行うのが好ましい。例えば、ネットワーク初期設定値の割り当てをアクセスポイントへ登録、認識デバイス１３への初期設定の書き込み、アプリケーションの初期値の設定、利用ドライバの登録等の管理をディスプレイステーション１１が行う。処理６５において認識デバイス１３が有効であるか、不足ないか、書き込み情報が適切であるか等をディスプレイステーション１１が認識デバイス１３へのアクセスとバージョンチェック等で検索し、認識デバイス１３の更新を行う。ディスプレイステーション１１のアプリメモリ４８内のアプリケーションの更新は、アプリケーション提供元の通知により自動的に更新されるか、ディスプレイステーション１１から定期的にアプリケーション提供元へポーリングすることで行われる。そのため、ディスプレイステーション１１に存在するアプリケーションは最新のものであり、これを基準に認識デバイス１３内のアプリケーションや設定値を更新するのが好ましい。処理６６で認識デバイス１３内のアプリケーションや設定値が古い場合、認識デバイス１３内の情報を更新する。アプリケーションが古いか否かは、ディスプレイステーション１１で最新のアプリケーションを取得した日付と、認識デバイス１３内のアプリケーションを更新した日付を比較したり、ディスプレイステーション１１内の最新のアプリケーションのバーション情報と、認識デバイス１３内のアプリケーションのバーション情報を比較することにより可能である。設定が古いか否かの判定も、アプリケーションが古いか否かに準じる。処理６７で全ての認識デバイス１３のアクセスが終了すると処理６８で認識デバイス１３が使用できるようにユーザへ示す。例えば、ディスプレイステーション１１の一部に準備が整ったとの合図を示すＬＥＤをつけるとか、表示装置の画面に表示するとか、認識デバイス収納装置の各デバイスの近くにＬＥＤをつけることでユーザへ知らせることができる。その後処理６９でディスプレイステーション１１は準備完了の状態になる。認識デバイス１３内のアプリケーションは、情報処理端末１６，１７が、ディスプレイステーション１１と連携する機能、例えば、情報処理端末１６，１７内のデータを情報処理端末１６，１７からの要求でディスプレイステーション１１へ表示したり、ディスプレイステーション１１からのデータを情報処理端末１６，１７に表示したり、ディスプレイステーション１１を操作したりする機能を有するのが好ましい。
【００２２】
図７はディスプレイステーション上でのアプリケーションの起動手順を示している。ディスプレイステーション１１は電源投入時に認識デバイス１３の設定確認を行ってもよいし、アプリケーション起動時に同様の設定確認を行ってもよい。この例ではディスプレイステーション１１上のアプリケーション実行前にディスプレイステーションが最新アプリケーションを検索し、認識デバイス１３内のアプリケーションを更新することを示している。処理７１においてユーザの指示に応じてディスプレイステーション１１を起動する。処理７２において認識デバイス１３を検証する。処理７３において認識デバイス１３に異常があるか否かを判定する、処理７３で異常があると判定した場合に処理７４で認識デバイス１３のエラー処理を行う。例えば、認識デバイス１３からの読み込みエラーであれば再フォーマットしてデータを書き直すとか、認識デバイス１３が存在しなかった場合、管理者に連絡する等の処理を行う。処理７５においてアプリケーション提供元へポーリングすることにより最新アプリケーションや設定値の検索を行い、最新アプリケーションや設定値をアプリケーション提供元から取得する。処理７６において最新情報を認識デバイス１３に書き込む。処理７６において更新日メモリ４５に最新情報を認識デバイス１３に書き込んだ日時を記録する。処理７７においてアプリケーションを起動する。認識デバイス収納装置１２から認識デバイス１３が着脱され、認識デバイス１３との接続が切断された場合は、デバイス状態メモリ４６のレコードを認識デバイス１３接続有から認識デバイス１３接続無へ変更する。
【００２３】
図８はディスプレイステーション上でのアプリケーションの終了手順を示している。処理８１においてディスプレイステーション１１の終了操作を受け付ける。処理８２において認識デバイス１３の検査を行う。この処理８２では認識デバイス収納装置１２へ各認識デバイス１３が戻されているか、戻された認識デバイス１３が正常であるか検査する。処理８３において認識デバイス１３に不具合があれば処理８４においてエラー処理を行う。この処理８３は処理７４と同じでよい。一連の処理が終了したら処理８５でディスプレイステーション１１の動作を終了する。
【００２４】
図９は情報処理端末の起動手順を示している。この例で示す認識デバイス１３は、メモリ機能と無線ＬＡＮ機能をあわせ持ったものを使用している。処理９１において情報処理端末１６、１７の起動後、認識デバイス１３を接続する。尚、認識デバイス１３の接続は、情報処理端末１６，１７の起動直後でなくてもよい。処理９２において認識デバイス１３のメモリ部を認識する。処理９３においてメモリ部のインストールプログラムを自動起動する。このインストールプログラムは、無線ＬＡＮデバイスを使用するためのデバイスドライバの組み込みのためであり、処理９４においてデバイスドライバを読み込み、ディスプレイステーション１１が設定した値で無線ＬＡＮデバイスを構築する。処理９５において接続した情報処理端末１６、１７の識別情報を、無線でディスプレイステーション１１に送信する。例えば、情報処理端末１６，１７の機器名とかネットワークインターフェースのＭＡＣアドレスとかを送信する。処理９５において接続に利用した認識デバイス１３の番号（識別情報）を認識デバイス１３から読み出し、認識デバイス１３の番号をディスプレイステーション１１に送信する。ディスプレイステーション１１ではこの情報処理端末１６，１７の識別情報及び認識デバイス１３の識別情報を利用してどの識別デバイス１３を用いてどの機器が接続しているかを端末用メモリ４２内に記録する。処理９６においてディスプレイステーション１１と無線接続を確立させ、処理９７において最新のアプリケーションを認識デバイス１３あるいはネットワークからダウンロードする。アプリケーションがダウンロードされた後、処理９８においてアプリケーションを起動する。情報処理端末１６、１７は、その最新のアプリケーションを用いて、ディスプレイステーション１１へデータを送信したり、ディスプレイステーション１１からデータを受信したり、ディスプレイステーション１１を操作したりするのが好ましい。
【００２５】
図１０は情報処理端末の終了手順を示している。処理１０１において情報処理端末１６、１７の終了処理が開始されると、処理１０２においてインストールされたプログラムのアンインストールを行う。アンインストールプログラムは、インストールされたプログラムに含まれているのが好ましい。この例では、基本的には認識デバイス１３によってインストールされたプログラムは、認識デバイス１３が取られた時点で情報処理端末１６、１７内から消去されることになる。しかし、場合によってはアンインストールを実行しない方が便利なこともあるので、設定でどのようにするか決められるようにすることも可能である。アンインストール終了後、処理１０３においてディスプレイステーション１１との接続を切断する。処理１０４において、ユーザが認識デバイス１３を情報処理端末１６，１７から取る。処理１０５で、ユーザから指示に応じて情報処理端末１６，１７の動作を終了する。その後、処理１０６で、ユーザが、認識デバイス１３を認識デバイス収納装置１２へ戻す。この操作を実施しないとディスプレイステーション１１は認識デバイス１３が紛失したと考え、管理者に報告することになる。
【００２６】
図１１はディスプレイステーションにおける情報処理端末の接続時の動作手順を示している。処理１１１において情報処理端末１６、１７を検知する、処理１１２において情報処理端末１６、１７との接続認証を行う。例えば、この処理１１２は無線ＬＡＮデバイスの認証であったり、設定値に予め組み込んでおいたパスワードのようなものであってもよい。処理１１３において情報処理端末１６，１７から送付された情報をもとに情報処理端末１６，１７の登録を行う。全ての認証が完了したら、処理１１４においてディスプレイステーションは情報処理端末１６、１７の接続を許可する。
【実施例２】
【００２７】
図１２は本発明の別の一実施例を示している。この例では、ディスプレイステーション１２１は認識デバイス１２２の接続とアクセスポイント１２３を備えている。認識デバイス１２２は各ユーザに事前に配られ、ディスプレイステーション１２１にはそれら認識デバイス１２２をすべて登録してある。ユーザが認識デバイス１２２をディスプレイステーション１２１に接続すると、ディスプレイステーション１２１は認識デバイス１２２を識別し、認識デバイス１２２のアプリケーションや設定値を更新する。ユーザの利用する情報処理端末１２４に認識デバイス１２２を接続することで、情報処理端末１２４とアクセスポイント１２３が接続され、情報処理端末１２４はディスプレイステーション１２１にアクセスすることが可能になる。
【産業上の利用可能性】
【００２８】
本発明は、個人の情報処理端末を共有のディスプレイステーションに接続するのに利用できる。さらに、本発明は、情報処理端末の情報をディスプレイステーションに表示したり、逆に、ディスプレイステーションの表示情報を情報処理端末に表示したりして、ミーティングなどに利用できる。
【図面の簡単な説明】
【００２９】
【図１】システム構成図である。
【図２】ディスプレイステーションの内部構成を示したものである。
【図３】情報処理端末の内部構成を示したものである。
【図４】ディスプレイステーション内のメモリ構成を表したものである。
【図５】情報処理端末内のメモリ構成を表したものである。
【図６】ディスプレイステーションのデバイス設定フローチャートである。
【図７】ディスプレイステーションのアプリ起動フローチャートである。
【図８】ディスプレイステーションの終了フローチャートである。
【図９】情報処理端末のデバイス接続を示すフローチャートである。
【図１０】情報処理端末の終了処理動作を示すフローチャートである。
【図１１】ディスプレイステーション上での端末接続フローチャートである。
【図１２】他のシステム構成図である。
【符号の説明】
【００３０】
１１  ディスプレイステーション
１２  認識デバイス収納装置
１３  認識デバイス
１６  情報処理端末
２１  ＣＰＵ
２２  メモリ
２３  システムコントローラ
２４  表示コントローラ
２６  Ｉ／Ｏ制御コントローラ
【図１】
2006164092.tif 000003
【図２】
2006164092.tif 000004
【図３】
2006164092.tif 000005
【図４】
2006164092.tif 000006
【図５】
2006164092.tif 000007
【図６】
2006164092.tif 000008
【図７】
2006164092.tif 000009
【図８】
2006164092.tif 000010
【図９】
2006164092.tif 000011
【図１０】
2006164092.tif 000012
【図１１】
2006164092.tif 000013
【図１２】
2006164092.tif 000014